(57)【要約】【課題】エアガン又はガスガン等の玩具銃の弾丸として使用する合成樹脂製の球形弾丸の直進性や命中精度を向上するようにした玩具銃用弾丸を提供する。【解決手段】玩具銃に使用する樹脂製球形弾丸１の直径を少なくとも７ｍｍとし、該球形弾丸の外周に複数の凹溝２を形成したものであり、この球形弾丸の直径は８ｍｍとするのが理想的である。また、ＢＢ弾の外周に形成した凹溝は、ＢＢ弾の外周に形成された複数の線状の凹溝とするか、又は複数のディンプルとする。【選択図】図１
2008256230.tif 000002
【特許請求の範囲】
【請求項１】
玩具銃に使用する樹脂製球形弾丸の直径を少なくとも７ｍｍとし、該球形弾丸の外周に複数の凹溝を形成したことを特徴とする玩具銃用弾丸。
【請求項２】
前記球形弾丸の直径は８ｍｍであることを特徴とする請求項１記載の玩具銃用弾丸。
【請求項３】
前記球形弾丸の外周に形成した凹溝は、複数の線状凹溝であることを特徴とする請求項１又は２記載の玩具銃用弾丸。
【請求項４】
前記球形弾丸の外周に形成した凹溝は、曲線状の凹溝であることを特徴とする請求項１、２又は３記載の玩具用弾丸。
【請求項５】
前記球形弾丸の外周に形成した凹溝は、複数の短尺の凹溝であることを特徴とする請求項１、２、３又は４記載の玩具用弾丸。
【請求項６】
前記球形弾丸の外周に形成した凹溝は、複数の十字形凹溝であることを特徴とする請求項１、２、３、４又は５記載の玩具用弾丸。
【請求項７】
前記球形弾丸の外周に形成した凹溝は、複数のディンプルであることを特徴とする請求項１、２、３、４、５又は６記載の玩具銃用弾丸。
【発明の詳細な説明】
【技術分野】
【０００１】
本発明は、エアガン又はガスガン等の玩具銃の弾丸として使用する樹脂製の玩具銃用弾丸に関する。
【背景技術】
【０００２】
エアガン又はガスガンとは、低空気圧又は低圧ガスによって合成樹脂製の弾丸を発射する銃器（けん銃、小銃、機関銃等）を模した玩具銃の一種である。このようなエアガン又はガスガン等に使用される球形の合成樹脂製弾丸は、一般的にＢＢ弾と呼ばれている。
【０００３】
ところで、エアガン又はガスガンにおいて従来から使用されている弾丸は、一般的に直径６ｍｍのＢＢ弾（「６ｍｍＢＢ弾」と略称する）であった。この６ｍｍＢＢ弾は、その外径が球形であるため、弾丸が発射される際、無回転（実際には緩やかな回転）或いは不規則な回転状態で銃口から飛び出すと、進行方向だけではなく上下左右からも不規則な空気抵抗を受ける結果、弾丸の進行方向が定まらず、命中精度が著しく悪化するという問題があった。
【０００４】
これを解消する方法として、二つの方法が考えられる。その第１の方法は、ＢＢ弾の発射時に進行方向に対して垂直のバックスピンをかけることによって、弾丸に対して前方より受ける空気抵抗を整流させ、この整流した空気抵抗を揚力として使う方法である。
【０００５】
また、第２の方法として、ＢＢ弾には全くスピンをかけず、銃そのもののポテンシャル、即ち、銃のパワーや銃身とＢＢ弾のクリアランス等を調整することによって、弾丸の初期飛行の距離（弾丸の発射位置から例えば５メートルというような一定距離）だけはまっすぐに飛ばすという方法である。ただし、この方法は、弾丸の進行方向前方から空気抵抗を大幅に受けるため、あくまでも至近距離に限られるという欠点がある。
【０００６】
また、上記のようなＢＢ弾の直進性に関する従来技術としては、特許文献１のような玩具銃の銃身構造がある。この文献の銃身構造は、銃身内周と発射する弾丸外周との間にわずかな間隙を設け、この間隙を通過する圧縮気体を螺旋旋回させる複数の螺旋溝を銃身内周に設けることによって、銃身を通過する弾丸に対して強制的に回転力を付与するようにしたものである。
【０００７】
また、特許文献２に記載されている構造は、銃身の上部内面に軸線方向に沿って左右対称な一対のレール部が形成され、発射装置から上向きの回転を付与されて発射された球形弾丸が一対のレール部に２点で接触することによって、左右方向のずれが規制されることによって、直進性を向上し、命中精度を向上するようにしたものである。
【０００８】
しかしながら、この上記のいずれの文献も銃の改良に係るものであり、弾丸そのものの構造によって直進性や命中精度を向上するようにした技術は、従来の文献から見出すことができないのが現状である。これは、従来の６ｍｍＢＢ弾が小径であるため、加工困難であるにもかかわらず、その加工によって顕著な効果が期待できないためである。
【特許文献１】実公平７−３１９２号公報
【特許文献２】特開平９−２８０７９３号公報
【発明の開示】
【発明が解決しようとする課題】
【０００９】
本発明は、上記のような事情に鑑みてなされたもので、エアガン又はガスガン等の玩具銃の弾丸として使用する合成樹脂製の球形弾丸の直進性や命中精度を向上するようにした玩具銃用弾丸を提供することを目的とする。
【課題を解決するための手段】
【００１０】
上記の目的を達成するために、本発明の請求項１の玩具銃用弾丸は、玩具銃に使用する樹脂製球形弾丸の直径を少なくとも７ｍｍとし、該球形弾丸の外周に複数の凹溝を形成したことを特徴とする。
【００１１】
また、本発明の請求項２の玩具銃用弾丸は、請求項１において、前記球形弾丸の直径は８ｍｍであることを特徴とする。
【００１２】
また、本発明の請求項３の玩具銃用弾丸は、請求項１又は２において、前記球形弾丸の外周に形成した凹溝は、ＢＢ弾の外周に形成された複数の線状の凹溝であることを特徴とする。
【００１３】
また、本発明の請求項４の玩具銃用弾丸は、請求項１、２又は３において、前記球形弾丸の外周に形成した凹溝は、曲線状の凹溝であることを特徴とする。
【００１４】
また、本発明の請求項５の玩具銃用弾丸は、請求項１、２、３又は４において、前記球形弾丸の外周に形成した凹溝は、複数の短尺の凹溝であることを特徴とする。
【００１５】
また、本発明の請求項６の玩具銃用弾丸は、請求項１、２、３、４又は５において、前記球形弾丸の外周に形成した凹溝は、複数の十字形凹溝であることを特徴とする。
【００１６】
さらに、本発明の請求項７の玩具銃用弾丸は、請求項１、２、３、４、５又は６において、前記球形弾丸の外周に形成した凹溝は、複数のディンプルであることを特徴とする。
【発明の効果】
【００１７】
以上の本発明による玩具銃用弾丸によれば、玩具銃に使用する樹脂製球形弾丸の直径を少なくとも７ｍｍとし、該球形弾丸の外周に複数の凹溝を形成してあるため、バレル内において球形弾丸の凹溝がガス抜きとして作用し、球形弾丸の後方からのガス圧が球形弾丸の凹溝を通過して前方に抜け、球形弾丸の前方の空気を押し除けて球形弾丸を前方に引っ張るため、ガス圧のパワーを効率的に発揮することが可能となる。
【００１８】
また、球形弾丸がバレルから発射された後、球形弾丸に作用する揚力が複数の凹溝に当って揚力をまき上げるという作用を奏する結果、外周に凹溝のない従来の球形弾丸よりもはるかに大なる揚力を発揮することとなり、球形弾丸の減速が抑制され、弾道の安定性が高まり、飛距離及び命中精度の面でも効果を発揮することが可能となる。
【００１９】
また、球形弾丸の外周に複数の凹溝を形成するための金型成形が、従来の６ｍｍＢＢ弾では不可能であったのに対して、本発明では直径が少なくとも７ｍｍの球形弾丸であるということで可能となる。さらに、弾道の視認性に関しても、本発明の球形弾丸は、従来の６ｍｍＢＢ弾に比べてはるかに大きく見えるものであり、エアガン又はガスガン等の弾丸として使用する際の弾道が従来に比べて目視し易くなり、大口径銃の力強さや迫力を再現することが可能となる。また、従来の６ｍｍＢＢ弾に比べて、少なくとも直径が少なくとも７ｍｍの球形弾丸であるため、的に当たった際の衝突の面積が拡大し、衝撃力が低減するため、従来のようにダンボールを貫通するような圧力を発揮することがなく、人間に当たった際の安全性を向上することが可能となる。
【発明を実施するための最良の形態】
【００２０】
以下、本発明の実施例について図面を参照しながら説明する。
【実施例１】
【００２１】
本発明による玩具銃用弾丸は、玩具銃に使用する樹脂製球形弾丸１の直径を少なくとも７ｍｍとし、この外周に複数の凹溝２を形成してなるものである。その球形弾丸１の外周に設けた凹溝２として、図１に示すものは、球形弾丸１の外周に３本の線状（球形弾丸１の外周に沿って曲線を描く）凹溝２（２ａ、２ｂ、２ｃ）が形成されている。このような球形弾丸１において、夫々の凹溝２は、いずれも球形弾丸１の最大外径を描く外周位置であって各凹溝２が３次元方向を向く位置に形成されている。
【００２２】
上記の球形弾丸１が玩具銃のチャンバーに装填されたとき、球形弾丸１の凹溝２がいずれの方向を向くかは特定できることではなく、上記のように３本の凹溝２（２ａ、２ｂ、２ｃ）が３次元方向を向く位置に形成されているため、球形弾丸１がいずれの方向に回転した場合でも、３本の内のいずれかの凹溝２が以下の効果を発揮することとなる。
【００２３】
その効果の第１としては、バレル内においていずれかの凹溝２（２ａ、２ｂ、２ｃ）がガス抜きとして作用することにある。即ち、従来の球形弾丸１は外周に凹溝２がないため、バレル内においてクリアランスがほとんどない状態でバレル内を移動することとなるため、球形弾丸１の前方においてはバレル内の空気が圧縮され、弾丸の前進を阻む抵抗力として作用し、球形弾丸１の後方から作用するガス圧のパワーを減退する結果となる。
【００２４】
これに対して、本実施例の球形弾丸１においては、バレル内の後方からのガス圧が球形弾丸１の凹溝２を通過して前方に抜け、球形弾丸１の前方の空気を押し除けて球形弾丸１を前方に引っ張るため、ガス圧のパワーを効率的に発揮することが可能となる。
【００２５】
また、球形弾丸１の外周に形成された凹溝２の第２の効果としては、球形弾丸１がバレルから発射された後、球形弾丸１に作用する揚力が凹溝２に当って、球形弾丸１のバックスピンを増強するという作用にある。
【００２６】
即ち、図７に示すように、球形弾丸１が左方に飛行するとき、バレル内で付与されたバックスピンによって球形弾丸１は図示の時計回りに回転し、球形弾丸１の前方からの空気圧は図示の左方から右方へ作用する。このとき、球形弾丸１の上方では「空気速度α＞空気速度β」、球形弾丸１の下方では「空気速度α＜空気速度θ」という現象が生じ、この球形弾丸１の上下における空気速度の差によって揚力（−Ｇ）が発生する。このようにして生じる揚力が球形弾丸１の外周の凹溝２をかき上げる結果、外周に凹溝２のない従来の球形弾丸１よりもはるかに大なる揚力を発揮するため、球形弾丸１のバックスピンが促進され、弾道の安定性が高まり、飛距離及び命中精度の面でも効果を発揮することが可能となる。
【００２７】
また、本実施例において、球形弾丸１の外周に設ける凹溝２の溝幅及び溝深さは、１個の球形弾丸１の外周に凹溝２を何本形成するかということにも関係するものであり、また直径が少なくとも７ｍｍという小粒の球体に対する加工であることを考慮して実験した結果、直径８ｍｍの球形弾丸１の外周に３本の凹溝２を形成した場合、０.５ｍｍ〜１ｍｍの溝深さ及び溝幅とするのが最も効果的であることを確認することができた。
【００２８】
また、球形弾丸１の外周に形成する凹溝２の本数としては、上記のように図１に示すように３本とするのが金型による成形加工の面でもより効率的となる。従って、本発明による球形弾丸１は、その外周に３本の凹溝２（２ａ、２ｂ、２ｃ）を３次元方向に形成するのが理想であるが、それ以上の数の凹溝２を形成することも可能である。そこで、図３に示すように、球形弾丸１の外周に６本の凹溝２、２…を形成した場合、上記で説明した３本の場合の凹溝２（２ａ、２ｂ、２ｃ）の溝深さ及び溝幅よりも小なるもので効果的な揚力を得ることが可能となる。
【００２９】
また、他の実施例として、図４に示すように、野球のボールに形成された縫い目のような曲線状の凹溝３を球形弾丸１の外周に形成してもよい。さらに、他の実施例として、図５に示すように複数の短尺の凹溝４、４…を形成してもよい。また、そのような短尺の凹溝をクロスした十字形凹溝４ａを形成してもよい。
【００３０】
さらに、図６に示すように、球形弾丸１の外周に複数のディンプル５（えくぼ状の凹み）を形成した場合でも、上記のように飛行中の揚力を向上するという効果を得ることが可能となる。
【００３１】
上記のいずれの形態であっても、球形弾丸１の外周に複数の凹溝２を形成した場合、凹溝２が形成されていない従来の球形弾丸よりも、はるかに飛距離及び命中精度において向上するという改善結果を得ることが可能となる。なお、球形弾丸１の外周に形成する凹溝としては、上記の線状凹溝２、曲線状の凹溝３、短尺の凹溝４、十字形凹溝４ａ、ディンプル５のいずれか又は全部を組み合わせたものとしてもよい。
【００３２】
次に、本実施例の球形弾丸１の直径に関して図２を参照すると、左方に従来の直径６ｍｍの球形弾丸（６ｍｍＢＢ弾と云う）６を示し、中央に直径７ｍｍの球形弾丸（７ｍｍＢＢ弾と云う）１を示し、右方に直径８ｍｍの球形弾丸（８ｍｍＢＢ弾と云う）１を示してある。この図に示すように、７ｍｍＢＢ弾や８ｍｍＢＢ弾の球形弾丸１が従来の６ｍｍＢＢ弾に比べてはるかに大きく見えるものであり、エアガン又はガスガン等の弾丸として使用する際の弾道が従来に比べて非常に目視し易くなり、大口径銃の力強さや迫力を再現することが可能となる。
【００３３】
また、８ｍｍＢＢ弾は、体積比で、６ｍｍＢＢ弾２の２．３７倍拡大化されたことなり、的に当たった際の衝突の面積が拡大するため、衝撃力が低減する。このため、従来のようにダンボールを貫通するような圧力を発揮することがなく、仮にこのＢＢ弾が人間に当たった際の安全性を向上することができる。
【００３４】
なお、球形弾丸１を直径８ｍｍ以上の大きさにすると、弾丸としての印象から遠ざかるうえ、エアガン又はガスガンの口径も拡大化して、設計上での問題点が生じるため、本実施例においては、直径８ｍｍのＢＢ弾を理想とするものであるが、本発明はそれよりも大なる直径を禁止するものではない。
【００３５】
次に、本実施例の球形弾丸１の製造方法は、従来と同様に、射出成形による金型を用いることによって製造することが可能であるが、球形弾丸１の外周に形成する凹溝２の数や形状に応じた多方向からの引抜きが必要となる。
【００３６】
なお、従来の直径６ｍｍの球形弾丸（６ｍｍＢＢ弾）の場合、金型による成型品として製造する場合に、この直径６ｍｍという小径球体に対して、本実施例のような凹溝２を形成するのは、金型の製作が非常に困難となり、直径が小さいため、飛距離や命中精度の面でも顕著な改善結果を得ることができないものであった。しかしながら、直径７ｍｍ以上の球形弾丸１であれば、複数の凹溝２を形成するという金型の製作が可能となり、直径６ｍｍの球形弾丸１に比べて飛距離や命中精度の面で顕著な改善結果を得ることが可能となる。
【産業上の利用可能性】
【００３７】
本発明の玩具銃用弾丸は、エアガン又はガスガン等の玩具銃の弾丸として使用する合成樹脂製の球形弾丸の外周に複数の凹溝を形成することによって、飛距離や直進性や命中精度を向上することができる玩具銃用弾丸として利用可能である。
【図面の簡単な説明】
【００３８】
【図１】本発明の実施例において、外周に３本の凹溝を形成した球形弾丸の外観図である。
【図２】本発明の実施例において、直径が６ｍｍの従来品と、直径が７ｍｍ、直径が８ｍｍの球形弾丸と比較した場合の図である。
【図３】本発明の実施例において、外周に６本の凹溝を形成した球形弾丸の外観図である。断面図である。
【図４】本発明の実施例において、外周に曲線状凹溝を形成した球形弾丸の外観図である。
【図５】本発明の実施例において、外周に短尺の凹溝と十字形凹溝を形成した球形弾丸の外観図である。
【図６】本発明の実施例において、外周に複数のディンプルを形成した球形弾丸の外観図である。
【図７】本発明の実施例において、球形弾丸の空気特性を示す説明図である。
【符号の説明】
【００３９】
１  球形弾丸
２  凹溝
２ａ、２ｂ、２ｃ  三本の各凹溝
３  曲線状の凹溝
４  短尺の凹溝
４ａ  十字形凹溝
５  ディンプル
６  ６ｍｍＢＢ弾
【図１】
2008256230.tif 000003
【図２】
2008256230.tif 000004
【図３】
2008256230.tif 000005
【図４】
2008256230.tif 000006
【図５】
2008256230.tif 000007
【図６】
2008256230.tif 000008
【図７】
2008256230.tif 000009